(57)【要約】【課題】投票券を販売する店舗の販売促進や、投票券の販売促進を図ることを目的とする。【解決手段】申込用紙の読取機構、投票券の印字機構、上位装置と通信を行う第一の通信部、及び該発券装置に固有のＩＤを記憶した記憶部とを備えた発券装置と、発券装置に固有のＩＤと広告データとを対応付けて記憶するデータベース、発券装置と通信を行う第二の通信部、及び制御部を有する上位装置とを備え、第一の通信部は、読取機構で読み取られたデータ及び記憶部に記憶されたＩＤを含む申込データを上位装置に送信し、第二の通信部は、申込データを受信し、制御部は、申込データに含まれたＩＤを基に、データベースより対応する広告データを抽出し、申込データに広告データを追加した発券データを作成し、第二の通信部は、発券データを発券装置に送信し、第一の通信部は、発券データを受信し、印字機構は、発券データを投票券に印字する。【選択図】図９
2014089621.tif 000002
【特許請求の範囲】
【請求項１】
投票券発券装置と、前記投票券発券装置と接続される上位装置とを備え、
前記投票券発券装置は、申込用紙の読取機構と、投票券の印字機構と、前記上位装置と通信を行う第一の通信部と、該投票券発券装置に固有のＩＤを記憶した記憶部と、備え、
前記上位装置は、前記投票券発券装置に固有のＩＤと広告データとを対応付けて記憶するデータベースと、前記投票券発券装置と通信を行う第二の通信部と、該上位装置を制御する制御部とを有し、
前記第一の通信部は、前記読取機構で読み取られたデータ及び前記記憶部に記憶された前記ＩＤを含む申込データを前記上位装置に送信し、
前記第二の通信部は、前記申込データを受信し、
前記制御部は、前記申込データに含まれた前記ＩＤを基に、前記データベースより対応する広告データを抽出し、前記申込データに前記広告データを追加した発券データを作成し、
前記第二の通信部は、前記発券データを前記投票券発券装置に送信し、
前記第一の通信部は、前記発券データを受信し、
前記印字機構は、前記発券データを投票券に印字することを特徴とする投票券発券システム。
【請求項２】
請求項１記載の投票券発券システムであって、
前記制御部は、前記申込データとは異なる追加申込データを作成し、前記発券データは、前記追加申込データが含まれるものであることを特徴とする投票券発券システム。
【請求項３】
請求項２記載の投票券発券システムであって、
前記申込データを印字する投票券と、前記広告データ及び前記追加申込データを印字する投票券とを異なる投票券とすることを特徴とする投票券発券システム。
【請求項４】
請求項２記載の投票券発券システムであって、
前記申込データ及び前記追加申込データを印字する投票券と、前記広告データを印字する投票券とを異なる投票券とすることを特徴とする投票券発券システム。
【請求項５】
請求項１〜４のいずれか一つに記載された投票券発券システムであって、
前記データベースは、一つの前記ＩＤに対応する前記広告データを複数有し、
複数の前記広告データは、それぞれ固有の広告ＩＤを有し、
前記申込データの内容に応じて、前記制御部は、前記申込データに、複数の前記広告データのうちいずれかの前記広告データと該広告データに対応する前記広告ＩＤを追加して前記発券データを作成することを特徴とする投票券発券システム。
【請求項６】
上位装置と通信を行う投票券発券装置であって、
前記投票券発券装置は、申込用紙の読取機構と、投票券の印字機構と、前記上位装置と通信を行う通信部と、該投票券発券装置に固有のＩＤを記憶した記憶部と、備え、
前記通信部は、前記読取機構で読み取られたデータ及び前記ＩＤを含む申込データを前記上位装置に送信し、前記申込データに前記ＩＤと対応付けられた広告データを含む発券データを前記上位装置より受信し、
前記印字機構は、前記発券データを投票券に印字することを特徴とする投票券発券装置。
【請求項７】
請求項６記載の投票券発券装置であって、
前記制御部は、前記発券データは、前記申込データとは異なる追加申込データが含まれることを特徴とする投票券発券装置。
【請求項８】
投票券発券方法であって、
申込用紙の内容を読み取り、申込データを作成するステップと、
前記申込データと投票券発券装置に固有のＩＤとを上位装置に送信するステップと、
前記申込データに含まれた前記ＩＤを基に、前記除憂い装置のデータベースより対応する広告データを抽出し、前記申込データに前記広告データを追加した発券データを作成するステップと、
前記発券データを、投票券発券装置に送信するステップと、
前記発券データを印字するステップとを備える投票券発券方法。
【請求項９】
請求項８記載の投票券発券方法であって、
前記発券データを作成するステップは、前記申込データとは異なる追加申込データを追加する処理を含むことを特徴とする投票券発券装置。
【発明の詳細な説明】
【技術分野】
【０００１】
投票券発券システム、投票券発券装置及び投票券発券方法に関する。
【背景技術】
【０００２】
従来より、利用者により指定された数字及び当該数字を認識するコードが印字された投票券を発行するとともに、上記コードを読み取ることにより、利用者により指定された数字と所定の数字（当選番号等）との一致度を判定し、一致度に応じて定められた賞を判定することが可能な投票券発券装置及び投票券発券システムが知られている。
【０００３】
例えば、特許文献１には、利用者が指定した内容が記載された申込用紙（マークカード）を読み取るマークカード読取部と、マークカード読取部により読み取られた申込内容に基づいて投票券を発行する発券部と、投票券を読み取る投票券読取部と、投票券読取部により読み取られた投票内容に基づいて、投票券が的中しているか否かを判定する判定部とを備えた投票券発券装置が開示されている。
【先行技術文献】
【特許文献】
【０００４】
【特許文献１】特開平１１−１４９５０８号公報
【発明の概要】
【発明が解決しようとする課題】
【０００５】
特許文献１に記載された投票券発券装置では、利用者により指定された内容が記載された申込用紙が装置に挿入されと、当該申込用紙をマークカード読取部で読み取り、利用者により指定された内容が記載された投票券を発行する。しかし、従来の投票券は、利用者により指定された内容が印字されるに過ぎず、投票券を販売する店舗独自の内容（広告、商品券等）を印字することができなかった。また、投票券を１枚購入するときに、投票内容を追加することにより、投票券の販売の促進を図ることが期待されている。
【０００６】
本発明では、投票券に、店舗独自の内容やサーバでランダムに選択した投票内容を追加して印字することにより、投票券を販売する店舗の販売促進や、投票券の販売促進を図ることを目的とする。
【課題を解決するための手段】
【０００７】
前述の目的を達成するために、本発明では、投票券の発券装置と、前記発券装置と接続される上位装置とを備え、前記発券装置は、申込用紙の読取機構と、投票券の印字機構と、前記上位装置と通信を行う第一の通信部と、該発券装置に固有のＩＤを記憶した記憶部と、備え、前記上位装置は、前記発券装置に固有のＩＤと広告データとを対応付けて記憶するデータベースと、前記発券装置と通信を行う第二の通信部と、該上位装置を制御する制御部とを有し、前記第一の通信部は、前記読取機構で読み取られたデータ及び前記記憶部に記憶されたＩＤを含む申込データを前記上位装置に送信し、前記第二の通信部は、前記申込データを受信し、前記制御部は、前記申込データに含まれたＩＤを基に、前記データベースより対応する広告データを抽出し、前記申込データに前記広告データを追加した発券データを作成し、前記第二の通信部は、前記発券データを前記発券装置に送信し、前記第一の通信部は、前記発券データを受信し、前記印字機構は、前記発券データを投票券に印字することを特徴とする。
【０００８】
また、前記制御部は、前記申込データとは異なる追加申込データを作成し、前記発券データは、前記追加申込データが含まれるものとしても良い。
【発明の効果】
【０００９】
本発明によれば、投票券を販売する店舗の利便性向上や、投票券の販売の促進を図ることが可能となる。
【図面の簡単な説明】
【００１０】
【図１】投票券発券システムに用いられる投票券発券装置の外観図である。
【図２】投票券発券システムの機能ブロック図である。
【図３】広告データテーブルを示す図である。
【図４】読取データテーブルを示す図である。
【図５】実施例１における申込データテーブルを示す図である。
【図６】実施例１における発券データテーブルを示す図である。
【図７】申込用紙を示す図である。
【図８】実施例１における投票券発券システムの処理を示すフローチャートである。
【図９】実施例１における印字済みの投票券を示す図である。
【図１０】実施例２における申込データテーブルを示す図である。
【図１１】実施例２における発券データテーブルを示す図である。
【図１２】実施例２における投票券発券システムの処理を示すフローチャートである。
【図１３】実施例２における印字済みの投票券を示す図である。
【図１４】実施例２における印字済みの投票券を示す図である。
【図１５】実施例２における印字済みの投票券を示す図である。
【図１６】変形例における印字済みの投票券を示す図である。
【発明を実施するための形態】
【００１１】
Ａ：実施例１
以下、図１〜図９を用いて、実施例１における投票券発券システムについて説明する。本実施例における投票券発券システムは、例えば、数字選択式宝くじや、競馬、競輪、競艇等の投票券を発券するとき、および当選しているか照合するときに用いられる。
【００１２】
図１は、投票券発券システムに用いられる投票券発券装置１００の外観図である。投票券発券装置１００は、くじ券売場、競馬場等に設置され、売場係員や顧客の操作によって発券を行う装置であり、利用者により指定された内容が記載された申込用紙が挿入される申込用紙挿入口１０１と、印字済の投票券を排出する出口である投票券排出口１０２とを備える。申込用紙挿入口１０１は、申込用紙の規格外の媒体が入らないように、挿入口の幅を定めることが望ましい。また、投票券排出口１０２は、複数枚の投票券を保持する形状や投票券が飛び出さないような機構を有することが望ましい。
【００１３】
図２は、投票券発券システムの機能ブロック図である。投票券発券システムは、投票券発券装置１００と上位装置であるホストコンピュータ２００とを、広域改選などのネットワーク３００を介して接続している。
【００１４】
投票券発券装置１００は、上記申込用紙挿入口１０１及び投票券排出口１０２の他に、申込用紙搬送機構１０３、投票券搬送機構１０４、申込用紙読取機構１０５、印字機構１０６、記憶部１０７、制御部１０８、通信部１０９等から構成されている。
【００１５】
申込用紙搬送機構１０３は、申込用紙挿入口１０１に挿入された申込用紙を、申込用紙読取機構１０５まに搬送する機構であり、申込用紙を搬送するための搬送ローラや、各種センサを備えている。投票券搬送機構１０４は、スタッカに収納された未印字の投票券を印字機構１０６に搬送するとともに、印字機構１０６により印字済みの投票券を投票券排出口１０２に排出する機構であり、投票券を搬送するための搬送ローラや、各種センサを備えている。申込用紙読取機構１０５は、申込用紙搬送機構１０３により搬送された申込み用紙を読み取る機構であり、申込用紙に記載された内容（マーク、数字等）を読み取る光学センサ等を備えている。印字機構１０６は、投票券搬送機構１０４によりスタッカから搬送された未印字の投票用紙に対して、投票券発券装置１００内で生成される印字データを印字する機構であり、印字ヘッド等を備えている。記憶部１０７は、投票券発券装置１００固有のＩＤ（以下、「店舗ＩＤ」とする）や、後述する各種データテーブルを記憶するメモリ等を備えている。制御部１０８には、各種プログラム、各種データがＣＰＵ、メモリ等のハードウェアに記録されており、投票券発券装置１００の各機構の制御や、各種の処理、取引を実行する。通信部１０９は、ホストコンピュータ２００とのデータの送受信を行う部分である。
【００１６】
ホストコンピュータ２００は、制御部２０１、通信部２０２、データベース２０３等から構成されている。
【００１７】
制御部２０１には、各種プログラム、各種データがＣＰＵ、メモリ等のハードウェアに記録されており、ホストコンピュータ２００の各機構の制御や、各種の処理、取引を実行する。通信部２０２は、投票券発券装置１００とのデータの送受信を行う部分である。データベース２０３には、投票券発券装置１００と、当該投票券発券装置１００の設置場所（店舗等）とを関係付けた広告データとを関連付けた広告データテーブル２０３ａが記録されている。広告データテーブル２０３ａは、図３に示すように、投票券発券装置１００が設置された店舗に固有の店舗ＩＤ２０３ａ−１と、広告データ２０３ａ−２と、広告データを示す広告ＩＤ２０３ａ−３とを含む。
【００１８】
また、ホストコンピュータ２００は、投票券発券装置１００から発信され、通信部２０２で受信した申込データを記憶し、当該申込データと上記広告データとから発券データを生成する。生成された発券データは、通信部２０２より投票券発券装置１００に送信する。また、上記申込データ及び発券データ以外のデータを、投票券発券装置１００と送受信しても良い。
【００１９】
投票券発券装置１００の記憶部１０７に記録されるデータテーブルには、図４〜図６に示すように、読取データテーブル４０１、申込データテーブル５０１、発券データテーブル６０１が含まれる。
【００２０】
読取データテーブル４０１は、申込用紙挿入口１０１に挿入され、申込用紙搬送機構１０３により搬送された申込用紙を申込用紙読取機構１０５で読み取ったデータを含む。具体的には、投票券発券装置１００が設置された店舗に固有の店舗ＩＤ４０１ａ、利用者が指定した申込番号４０１ｂ、利用者が指定した申込方法（申し込み番号の選択方法）４０１ｃ、利用者が申し込む口数４０１ｄ、利用者が申し込む回号４０１ｅが含まれる。
【００２１】
図４に示された読取データテーブル４０１の場合、利用者により、店舗ＩＤ「ＡＢＣＤＥ」の店舗で、「５７回」の投票（例：くじ券、公営競馬の馬券等）において、申込番号「８４９７」を申込方法「Ａ」で、申込番号「９６３４」を申込方法「Ａ」で、申込番号「７８０５」を申込方法「Ｂ」で、申込番号「０４６３」を申込方法「Ｂ」でそれぞれ１口ずつ購入されたことを示している。読取データデータテーブル４０１の店舗ＩＤ４０１ａには、「ＡＢＣＤＥ」が４つ、申込番号４０１ｂには、「８４９７」「９６３４」「７８０５」「０４６３」、申込方法４０１ｃには、「Ａ」「Ａ」「Ｂ」「Ｂ」、口数４０１ｄには、「１」が４つ、回号４０１ｅには、「５７」が４つ含まれている。
【００２２】
図７は、申込用紙を示す図である。申込用紙７００には、申込番号指定欄７０１ａ〜ｄ、申込方法指定欄７０２ａ〜ｄ、口数指定欄７０３が含まれる。申込番号指定欄７０１ａ〜ｄ、申込方法指定欄７０２ａ〜ｄ、口数指定欄７０３は、数字が記載されたマーク欄からなり、利用者により塗り潰されたマーク欄を申込用紙読取機構１０５で読み取られ、制御部１０７により、読取データテーブル４０１に記憶される。
【００２３】
次に、申込データテーブル５０１は、上記読取データテーブル４０１に記録されたデータに、投票券の抽選日や支払期限等を付加したデータを含む。具体的には、読取データテーブル４０１のデータと共通のデータである、店舗ＩＤ５０１ａ、申込番号５０１ｂ、申込方法５０１ｃ、口数５０１ｄ、回号５０１ｅの他に、利用者が購入した投票券の抽選日５０１ｆ、投票券の支払期限５０１ｇ、購入金額５０１ｈが含まれる。
【００２４】
図５に示された申込データテーブル５０１の場合、利用者により、店舗ＩＤ「ＡＢＣＤＥ」の店舗で、「５７回」の投票における、申込番号「８４９７」を申込方法「Ａ」と指定された投票券について、抽選日が２００９年９月１６日、投票券の支払期限が２０１０年１０月１６日、投票券の購入金額が４００円であることを示している。
【００２５】
申込データテーブル５０１に記録されたデータ（以下、申込データ）は、通信部１０９により、ネットワーク３００を介してホストコンピュータ２００に送信される。ホストコンピュータ２００では、データベース２０３内の広告データテーブル２０３ａに記憶された店舗ＩＤ２０３ａ−１、広告データ２０３ａ−２及び広告ＩＤ２０３ａ−３を参照して、上記申込データと、広告データ及び広告ＩＤとの関連付けを行い、投票券の発券データを作成する。当該発券データは、通信部２０２により、ネットワーク３００を介して投票券発券装置１００に送信される。
【００２６】
次に、発券データテーブル６０１は、ホストコンピュータで作成されたデータであり、申込データテーブル５０１に記録されたデータに、広告データを付加したものである。具体的には、申込データテーブル５０１のデータと共通のデータである、店舗ＩＤ６０１ａ、申込番号６０１ｂ、申込方法６０１ｃ、口数６０１ｄ、回号６０１ｅ、投票券の抽選日６０１ｆ、投票券の支払期限６０１ｇ、購入金額６０１ｈの他に、投票券に印字される広告データ６０１ｉ、広告データを示す広告ＩＤ６０１ｊが含まれる。
【００２７】
図６に示された発券データテーブル６０１の場合、店舗ＩＤ「ＡＢＣＤＥ」の店舗で利用者が申し込んだ「５７回」の投票券（申込番号：「８４９７」、申込方法：「Ａ」、抽選日：２００９年９月１６日、支払期限：２０１０年１０月１６日、購入金額：４００円）について、「今週火曜はバーゲン！！」との広告が印字されることを示している。また、広告は複数種類存在するため、「今週火曜はバーゲン！！」の広告には、固有の広告ＩＤ「ａｂｃｄｅｆｇ」が付されている。なお、広告ＩＤを投票券に印字するか否かは任として良い。
【００２８】
図８は、投票券発券システムの処理を示すフローチャートである。最初に、投票券発券装置１００は、申込用紙７００を受付可能な状態で待機している。利用者により、申込用紙７００が申込用紙挿入口１０１に挿入されたことを図示しないセンサにより検知すると（Ｓ８０１）、申込用紙搬送機構１０３は、受け付けられた申込用紙７００を、申込用紙読取機構１０５で読取可能な位置まで搬送し、申込用紙読取機構１０５で申込用紙７００に記載された内容を読み取る（Ｓ８０２）。投票券発券装置１００の制御部１０８は、申込用紙読取機構１０５で読み取った内容（図４に示すような読取データ）に、投票券の抽選日、投票券の支払期限、購入金額を追加して申込データを作成する（Ｓ８０３）。作成された申込データは、通信部１０９により、ネットワーク３００を介してホストコンピュータ２００に送信される（Ｓ８０４）。
【００２９】
ホストコンピュータ２００は、通信部２０２により、ネットワーク３００を介して投票券発券装置１００から申込データを受信する（Ｓ８０５）。ホストコンピュータ２００の制御部２０１は、受信した申込データに含まれる店舗ＩＤに該当する広告データ及び広告ＩＤをデータベース２０３から取得する（Ｓ８０６）。次に、受信した申込データと取得した広告データ及び広告ＩＤとから、発券データを作成する（Ｓ８０７）。作成された発券データは、通信部２０２により、ネットワーク３００を介して投票券発券装置１００に送信される（Ｓ８０８）。
【００３０】
投票券発券装置１００は、通信部１０９により、ネットワーク３００を介してホストコンピュータ２００から発券データを受信する（Ｓ８０９）。その後、投票券搬送機構１０４は、スタッカから搬送された未印字の投票券を印字機構１０６で印字可能な位置まで搬送する。印字機構１０６は、搬送された投票券に発券データを印字する（Ｓ８１０）。投票券搬送機構１０４は、印字済みの投票券を投票券排出口１０２に排出する（Ｓ８１１）。
【００３１】
図９は、印字済みの投票券９００を示す図である。投票券９００には、利用者の申込内容９０１の他に、広告９０２が印字される。広告９０２には、「今週火曜はバーゲン！！」と記されており、投票券９００を確認した利用者は、店舗でバーゲンが開催されることを容易に把握することが可能となる。
【００３２】
Ｂ．実施例２
実施例１では、投票券に広告を印字することにより、投票券を販売する店舗の販売促進を図ることが可能である。一方、実施例２の場合、利用者の投票内容の他に、サーバでランダムに選択した投票内容を追加することを特徴としている。投票内容を追加することにより、利用者の当選確率を上昇させることができ、投票券の販売促進を図ることが可能となる。
【００３３】
本実施例における投票券発券システムの構成のうち、投票券発券装置１００の構成と投票券発券システムの機能ブロックは、実施例１と同様であるため、説明を省略する。ここでは、実施例１とは異なる部分である申込データテーブル、発券データテーブル、及びフローチャートについて説明する。
【００３４】
以下、図１０〜図１２を用いて、実施例２における投票券発券システムについて、実施例１とは異なる部分について説明する。図１０に示す申込データテーブル１００１は、実施例１で示した申込データテーブル５０１に含まれるデータと同様のデータ（店舗ＩＤ１００１ａ、申込番号１００１ｂ、申込方法１００１ｃ、口数１００１ｄ、回号１００１ｅ、投票券の抽選日１００１ｆ、投票券の支払期限１００１ｇ、購入金額１００１ｈ）の他に、投票券発券装置１００で申し込まれた内容であるか否かを示すフラグ１００１ｉが含まれる。フラグ１００１ｉが「１」である場合は、投票券発券装置１００で申し込まれたものであり、フラグ１００１ｉが「０」である場合は、後述するように、ホストコンピュータ２００でランダムに選択されたものであることを示す。なお、申込データテーブル１００１のデータは、読取データテーブル４０１に記録されたデータから作成されるため、フラグ１００１ｉは必ず「１」である。
【００３５】
図１１に示す発券データテーブル１１０１は、実施例１で示した発券データテーブル６０１に含まれるデータと同様のデータ（店舗ＩＤ１１０１ａ、申込番号１１０１ｂ、申込方法１１０１ｃ、口数１１０１ｄ、回号１１０１ｅ、投票券の抽選日１１０１ｆ、投票券の支払期限１１０１ｇ、購入金額１１０１ｈ、広告データ１１０１ｉ、広告ＩＤ１１０１ｊ）の他に、においても、投票券発券装置１００で申し込まれた内容であるか否かを示すフラグ１１０１ｋが含まれる。購入金額１１０１ｈが「￥０」以外である場合は、投票券発券装置１００で申し込まれたものであり、購入金額１１０１ｈが「￥０」である場合は、後述するように、ホストコンピュータ２００でランダムに選択されたものであることを示す。フラグ１１０１ｋが「１」である場合は、投票券発券装置１００で申し込まれたものであり、フラグ１１０１ｋが「０」である場合は、後述するように、ホストコンピュータ２００でランダムに選択されたものであることを示す。すなわち、購入金額１１０１ｈをフラグ１１０１ｋとして用いることも可能であり、発券データは何れかを備えていれば良い。
【００３６】
図１１に示された発券データテーブル１１０１の場合、店舗ＩＤ「ＡＢＣＤＥ」の店舗で利用者が申し込んだ「５７回」の投票券（申込番号：「８４９７」、申込方法：「Ａ」、抽選日：２００９年９月１６日、支払期限：２０１０年１０月１６日）について、ホストコンピュータ２００で申込データが追加（申込番号：「７７７７」、申込方法：「Ｂ」、抽選日：２００９年９月１６日、支払期限：２０１０年１０月１６日）されていることを示している。なお、追加された申込データと元の申込データとを紐付けるために、広告データ及び広告ＩＤは共通のデータとしている。
【００３７】
図１２は、投票券発券システムの処理を示すフローチャートである。最初に、投票券発券装置１００は、申込用紙７００を受付可能な状態で待機している。利用者により、申込用紙７００が申込用紙挿入口１０１に挿入されたことを図示しないセンサにより検知すると（Ｓ１２０１）、申込用紙搬送機構１０３は、受け付けられた申込用紙７００を、申込用紙読取機構１０５で読取可能な位置まで搬送し、申込用紙読取機構１０５で申込用紙７００に記載された内容を読み取る（Ｓ１２０２）。投票券発券装置１００の制御部１０８は、申込用紙読取機構１０５で読み取った内容（図４に示すような読取データ）に、投票券の抽選日、投票券の支払期限、購入金額を追加して申込データを作成する（Ｓ１２０３）。作成された申込データは、通信部１０９により、ネットワーク３００を介してホストコンピュータ２００に送信される（Ｓ１２０４）。
【００３８】
ホストコンピュータ２００は、通信部２０２により、ネットワーク３００を介して投票券発券装置１００から申込データを受信する（Ｓ１２０５）。ホストコンピュータ２００の制御部２０１は、受信した申込データに含まれる店舗ＩＤに該当する広告データ及び広告ＩＤをデータベース２０３から取得する（Ｓ１２０６）。次に、ホストコンピュータ２００の制御部２０１は、追加の申込データを作成する（Ｓ１２０７）。追加の申込データは、申込番号及び申込方法がランダムに選択されたものであるが、フラグ１１０１ｋは必ず「０」であり、ホストコンピュータ２００で作成されたことを示している。
【００３９】
その後、受信した申込データ及び制御部２０１で追加した申込データと、取得した広告データ及び広告ＩＤとから、発券データを作成する（Ｓ１２０８）。作成された発券データは、通信部２０２により、ネットワーク３００を介して投票券発券装置１００に送信される（Ｓ１２０９）。
【００４０】
投票券発券装置１００は、通信部１０９により、ネットワーク３００を介してホストコンピュータ２００から発券データを受信する（Ｓ１２１０）。その後、投票券搬送機構１０４は、スタッカから搬送された未印字の投票券を印字機構１０６で印字可能な位置まで搬送する。印字機構１０６は、搬送された投票券に発券データを印字する（Ｓ１２１１）。投票券搬送機構１０４は、印字済みの投票券を投票券排出口１０２に排出する（Ｓ１２１２）。
【００４１】
図１３は、印字済みの投票券１３００を示す図である。投票券１３００には、利用者の申込内容１３０１、広告１３０２の他、追加の申込内容１３０３が印字される。追加の申込内容１３０３は、ホストコンピュータ２００で作成されたものであり、利用者の当選確率を上昇させることができ、投票券の販売促進を図ることが可能となる。なお、図１３では、追加の申込内容には「（追加）」の字を印字しているは、「（追加）」の印字は無くても良い。
【００４２】
印字済みの投票券は、図１４に示すように、利用者による申込内容１４０１が印字された投票券１４００（図１４（ａ）参照）と、追加の申込内容１４１１及び広告１４１２が印字された投票券１４１０（図１４（ｂ）参照）とを２枚発行しても良い。投票券１４１０は、利用者による申込内容以外の内容が印字されるため、購入金額を示す「合計金額」は０円となる。
【００４３】
また、図１５に示すように、利用者による申込内容１５０１及び広告１５０２が印字された投票券１５００（図１５（ａ）参照）と、追加の申込内容１５１１が印字された投票券１５１０（図１４（ｂ）参照）とを２枚発行しても良い。
【００４４】
また、利用者による申込内容が複数ある場合は、追加の申込内容を複数としても良い。ここでの「複数」とは、申込内容を複数にすることや、口数を複数とすることを含む。例えば、図１５の場合、利用者による申込内容が２つあるため、追加の申込内容を２口としている。
【００４５】
Ｃ：変形例１
実施例１、実施例２ともに、利用者の申込内容に応じて広告の内容を変えても良い。ホストコンピュータ２００は、一つの広告ＩＤに対して複数の広告データを有しているので（図３参照）、同じ店舗ＩＤを有する申込データであっても、申込データの内容（例：合計金額）に応じて異なる広告データを追加しても良い。このとき、異なる広告には、異なる広告ＩＤが追加されるので、投票券発券装置１００側でも異なる広告であることを判断することが可能である。
【００４６】
図１６に示す場合、利用者の申込口数が１口の場合の投票券１６００に記載された広告１６０１と、申込口数が２口の場合の投票券１６１０に記載された広告１６１１とを変えることにより、バーゲンでの割引率を高くしている（図１６（ａ）、（ｂ）参照）。
【００４７】
Ｄ：変形例２
広告が割引券を兼ねている場合は、割引券を一旦使用した投票券については、割引券を無効としても良い。この場合、ホストコンピュータ２００のデータベース２０３に、広告ＩＤと使用済みであるか否かを対応付けるデータを含むものとすれば、使用済みの割引券について無効化処理を実行できる。
【符号の説明】
【００４８】
１００：投票券発券装置、１０１：申込用紙挿入口、１０２：投票券排出口、１０３：申込用紙搬送機構、１０４：投票券搬送機構、１０５：申込用紙読取機構、１０６：印字機構、１０７：記憶部、１０８：制御部、１０９：通信部、２００：ホストコンピュータ、２０１：制御部、２０２：通信部、２０３：データベース、３００：ネットワーク、７００：申込用紙、９００、１３００、１４００、１４１０、１５００、１５１０、１６００、１６１０：投票券
【図１】
2014089621.tif 000003
【図２】
2014089621.tif 000004
【図３】
2014089621.tif 000005
【図４】
2014089621.tif 000006
【図５】
2014089621.tif 000007
【図６】
2014089621.tif 000008
【図７】
2014089621.tif 000009
【図８】
2014089621.tif 000010
【図９】
2014089621.tif 000011
【図１０】
2014089621.tif 000012
【図１１】
2014089621.tif 000013
【図１２】
2014089621.tif 000014
【図１３】
2014089621.tif 000015
【図１４】
2014089621.tif 000016
【図１５】
2014089621.tif 000017
【図１６】
2014089621.tif 000018